(57)【要約】【課題】充電終了後における冷却ファンによる騒音の時間を短縮することである。【解決手段】２次電池を充電するための充電装置であって、上記２次電池の温度を検出する温度検出手段と、上記２次電池を冷却する冷却ファンと、上記温度検出手段からの信号を取り込み、その信号に応じて上記冷却ファンの作動及び停止を制御する制御装置とを有し、上記２次電池の充電終了後、所定時間が経過したら上記冷却ファンの作動を停止するように制御する。【選択図】  図２
2004171796.tif 000002
【特許請求の範囲】
【請求項１】
２次電池を充電するための充電装置であって、上記２次電池の温度を検出する温度検出手段と、上記２次電池を冷却する冷却ファンと、上記温度検出手段からの信号を取り込み、その信号に応じて上記冷却ファンの作動及び停止を制御する制御装置とを有し、上記制御装置は上記２次電池の充電終了後、所定時間が経過したら上記冷却ファンの作動を停止するように制御することを特徴とする充電装置。
【請求項２】
２次電池を充電するための充電装置であって、上記２次電池の温度を検出する温度検出手段と、上記２次電池を冷却する冷却ファンと、上記温度検出手段からの信号を取り込み、その信号に応じて上記冷却ファンの作動及び停止を制御する制御装置とを有し、上記制御装置は電池温度とタイマ時間との関係を示す情報を記憶する記憶手段を有し、上記２次電池の充電終了時の温度と上記記憶手段の情報からタイマ時間を求め、２次電池の充電終了後、上記タイマ時間を経過した時上記冷却ファンの作動を停止するように制御することを特徴とする充電装置。
【請求項３】
請求項１又は２において上記制御装置は２次電池の充電終了後所定時間を経過した時にトリクル充電を開始し、上記冷却ファンを作動させると共に、トリクル充電開始から所定時間経過後に該充電を停止し、該停止から一定時間後に上記ファンの作動を停止するように制御することを特徴とする充電装置。
【請求項４】
請求項３において上記制御装置はトリクル充電停止時の電池温度を検出し、該検出温度に対応して決められた時間だけトリクル充電停止時から経過したら上記冷却ファンの作動を停止するように制御することを特徴とする充電装置。
【請求項５】
請求項１又は２において上記制御装置は２次電池の充電終了後所定時間を経過した時にトリクル充電を開始し、上記冷却ファンを作動させると共に、トリクル充電開始時の温度Ｔ０から電池温度が所定値Ｐ上昇したらトリクル充電を停止し、該停止から一定時間後に上記冷却ファンの作動を停止するように制御することを特徴とする充電装置。
【発明の詳細な説明】
【０００１】
【発明が属する技術分野】
本発明はニッケル・カドミウム電池やニッケル水素電池等の２次電池を充電する充電装置に関するものである。
【０００２】
【従来の技術】
【特許文献１】特開２００１−１３６６７６
コードレス工具等の電源に用いられているニッケルカドミニウム電池やニッケル水素電池等を充電する時、大きな電流で充電すると短時間で充電できるが、充電時の電池の発熱も大きくなり、電池のサイクル寿命が短くなるため、充電装置等に設けられた冷却ファンにより電池を冷却しながら充電を行い、充電時の電池の発熱を抑制して大きな電流で短時間で充電する充電装置が提案されている。
【０００３】
また、充電終了後においても、冷却ファンを継続して作動させ、充電によって高温に達した電池を冷却する充電装置が提案されている。
【０００４】
特開２００１−１３６６７６号公報（特許文献１）には、充電の完了後にも電池の冷却を続ける冷却装置を備える充電装置において電池が所定温度まで冷却された時送風モータを停止する制御方式が開示されている。
【０００５】
【発明が解決しようとする課題】
特許文献１に示されているような制御を行わないと、充電終了後、電池を充電装置本体から離脱させない限り冷却ファンが作動し続けるため、冷却ファンによる騒音が長時間にわたり発生するといった問題がある。
【０００６】
また特許文献１に記載されているような制御方式を採用した場合でも、周囲温度がかなり高く、電池温度がなかなか低下しない場合には冷却ファンが極めて長時間にわたり回転し続け、騒音が気になることがある。
本発明の目的は、上記した従来技術の欠点をなくし、充電終了後における冷却ファンによる騒音の時間を短縮することである。
【０００７】
【課題を解決するための手段】
上記の目的を達成するために本発明充電装置は、２次電池の温度を検出する温度検出手段と、２次電池を冷却する冷却ファンと、上記温度検出手段からの信号を取り込み、その信号に応じて上記冷却ファンの作動及び停止を制御する制御装置とを有し、２次電池の充電終了後、所定時間が経過したら上記冷却ファンの作動を停止するように制御することに一つの特徴がある。
【０００８】
本発明の他の特徴は、上記制御装置が電池温度とタイマ時間との関係を示す情報を記憶する記憶手段を有し、上記２次電池の充電終了時の温度と上記記憶手段の情報からタイマ時間を求め、２次電池の充電終了後、上記タイマ時間を経過した時上記冷却ファンの作動を停止するように制御することにある。
本発明の他の特徴は、２次電池の充電終了後所定時間を経過した時にトリクル充電を開始し、上記冷却ファンを作動させると共に、トリクル充電開始から所定時間経過後に該充電を停止し、該停止から一定時間後に上記ファンの作動を停止するように制御することにある。
【０００９】
本発明の他の特徴は、トリクル充電停止時の電池温度を検出し、該検出温度に対応して決められた時間だけトリクル充電停止時から経過したら上記冷却ファンの作動を停止するように制御することにある。
【００１０】
本発明の他の特徴は、２次電池の充電終了後所定時間を経過した時にトリクル充電を開始し、上記冷却ファンを作動させると共に、トリクル充電開始時の温度Ｔ０から電池温度が所定値Ｐ上昇したらトリクル充電を停止し、該停止から一定時間後に上記冷却ファンの作動を停止するように制御することにある。
【００１１】
【発明の実施の形態】
図１は本発明の一実施形態を示す回路図である。１は交流電源、２は電池パックであり、複数の素電池を直列接続した電池組２Ａと、電池組２Ａに接触または近接して配置され、電池温度を検出する例えばサーミスタ等の感温素子２Ｂからなる。３は電池パック２に流れる充電電流を検出する電流検出手段、４は充電の開始及び停止を制御する信号を伝達する充電制御信号伝達手段、５は充電電流の信号をＰＷＭ制御ＩＣ２３に帰還する充電電流信号伝達手段である。電流検出手段３は抵抗、充電制御伝達信号手段４及び充電電流信号伝達手段５はホトカプラ等からなる。６は電池組２を冷却する冷却ファン、７は冷却ファン６を駆動する駆動手段であり、トランジスタ７ａ、抵抗７ｂ、７ｃから構成され、マイコン５０の出力ポート５６ｂの出力に応じて冷却ファン６の駆動を制御する。
【００１２】
１０は全波整流回路１１と平滑用コンデンサ１２からなる整流平滑回路、２０は高周波トランス２１、ＭＯＳＦＥＴ２２とＰＷＭ制御ＩＣ２３からなるスイッチング回路である。ＰＷＭ制御ＩＣ２３はＭＯＳＦＥＴ２２の駆動パルス幅を変えて整流平滑回路３０の出力電圧を調整するスイッチング電源ＩＣである。
【００１３】
３０は整流平滑回路でダイオード３１、３２、チョークコイル３３、平滑用コンデンサ３４からなる。４０は抵抗４１、４２からなる電池電圧検出手段で、電池組２の端子電圧はこの抵抗４１、４２により分圧された後マイコン５０に加えられる。マイコン５０は演算手段（ＣＰＵ）５１、ＲＯＭ５２、ＲＡＭ５３、タイマ５４、Ａ／Ｄコンバータ５５、出力ポート５６ａ、５６ｂ、リセット入力ポート５７からなる。ＣＰＵ５１は、最新の電池温度と所定時間前にサンプリングした電池温度とから電池温度勾配の演算等を行う。６０は充電電流制御手段で演算増幅器６１、６２、抵抗６３〜６６からなる。
【００１４】
７０は定電圧電源で電源トランス７１、全波整流回路７２、３端子レギュレータ７３、７４、平滑コンデンサ７５〜７７、リセットＩＣ７８からなる。定電圧電源７０の出力電圧は、冷却ファン６、マイコン５０、充電電流制御手段６０等に供給される。リセットＩＣ７８はマイコン５０を初期状態にするためにリセット入力ポート５７にリセット信号を出力する。
【００１５】
８０は充電電流を設定する充電電流設定手段であって、前記出力ポート５６ａからの信号に対応して演算増幅器６２の反転入力端に印加する電圧値を変えるものである。９０は抵抗９１、９２からなる電池温度検出手段であり、５Ｖの定電圧源と接続された抵抗９１と、抵抗９２と電池パック２内の感温素子２Ｂとによって分圧された電圧を前記マイコン５０のＡ／Ｄコンバータ５５に入力し、電池温度を検出し充電を制御する構成となっている。
【００１６】
次に図１の回路図及び図２、図３のフローチャート及び図４の表を参照して本発明充電装置の動作の一例を説明する。
電源を投入するとマイコン５０は出力ポート５６ａ、５６ｂをイニシャルセットし、電池パック２の接続待機状態となる（ステップ１０１）。電池パック２を接続すると、出力ポ−ト５６ｂより駆動手段７を介して冷却ファン６を作動する（ステップ１０２）。
【００１７】
マイコン５０は電池パック２が接続されたことを電池電圧検出手段４０からの信号により判別し、出力ポ−ト５６ａより充電制御信号伝達手段４を介しＰＷＭ制御ＩＣ２３に充電開始信号を伝達するとともに出力ポート５６ａより充電電流設定手段８０を介して、充電電流設定基準電圧値Ｖｉ０を演算増幅器６２に印加し、充電電流Ｉ０で充電を開始する（ステップ１０３）。
【００１８】
充電開始と同時に電池パック２に流れる充電電流を電流検出手段３により検出し、この充電電流に対応する電圧と充電電流設定基準値Ｖｉ０との差を充電電流制御手段６０より信号伝達手段５を介してＰＷＭ制御ＩＣ２３に帰還をかける。そして、充電電流が大きい場合はパルス幅を狭めたパルスを、逆の場合パルス幅を広げたパルスをＭＯＳＦＥＴ２２で発生させる。このパルスは高周波トランス２１を介して整流平滑回路３０に加えられここで整流平滑され、電池パック２に供給される。即ち、電流検出手段３、充電電流制御手段６０、信号伝達手段５、スイッチング回路２０、整流平滑回路３０により電池パック２の充電電流を所定電流値Ｉ０となるように制御する。
【００１９】
一方、電池温度検出手段９０の出力信号は所定時間間隔でサンプリングしてマイコン５０に取り込まれＲＡＭ５３に記憶される。サンプリングの時間間隔は適宜選定できるが、本実施形態では５秒に設定されている。図６はＲＡＭ５３に記憶されるサンプリングデータの一例を示し、現時点から例えば５秒前の時点ｔ１における電池温度データＴｉ−０１、１０秒前の時点ｔ２におけるデータＴｉ−０２……及び３０秒前の時点ｔ６における電池温度データＴｉ−０６が格納されている。ＲＡＭ５３に記憶するサンプル数は適宜選択することができる。
ステップ１０４においては上述の電池温度Ｔｉ−０６、Ｔｉ−０５、……、Ｔｉ−０１と，最新の電池温度と６サンプリング前の電池温度との差によって演算された電池温度勾配の最小値ｄＴ／ｄｔ（ＭＩＮ）と、各判別フラグである４５℃フラグ、冷却効果有りフラグ、冷却効果無しフラグ、トリクル充電フラグ、トリクル充電１０回以上フラグをイニシャルリセットする。さらに電池温度サンプリングタイマをスタートさせ、（ステップ１０５）、サンプリングタイマ時間が△ｔ（本実施形態では５秒）を経過したら（ステップ１０６）、再度サンプリングタイマをスタートさせる（ステップ１０７）。
【００２０】
次いで定電圧５Ｖを感温素子２Ｂと，抵抗９１，９２で分圧した電圧をＡ／Ｄコンバータ５５でＡ／Ｄ変換し、電池温度Ｔｉｎとして取り込む（ステップ１０８）。そして演算手段５１にてＴｉｎと６サンプリング前のデ−タＴｉ−０６との差から最新の電池温度勾配としてのｄＴ／ｄｔ（ｉｎ）＝Ｔｉｎ−Ｔｉ−０６を求め（ステップ１０９）、ｄＴ／ｄｔ（ｉｎ）が負か否かの判別を行う（ステップ１１０）。
【００２１】
ｄＴ／ｄｔ（ｉｎ）が負のときはステップ１１３にジャンプし、正のときはステップ１１１に進み、最新の電池温度勾配ｄＴ／ｄｔ（ｉｎ）と記憶手段５３に記憶されている電池温度勾配の最小値  ｄＴ／ｄｔ（ＭＩＮ）とが比較される。ステップ１１１において、ｄＴ／ｄｔ（ｉｎ）がｄＴ／ｄｔ（ＭＩＮ）より大きいときはステップ１１２をスキップし，ｄＴ／ｄｔ（ｉｎ）がｄＴ／ｄｔ（ＭＩＮ）より小さい時は、記憶データｄＴ／ｄｔ（ＭＩＮ）の値を最新の電池温度勾配ｄＴ／ｄｔ（ｉｎ）に値に更新する。
【００２２】
次いで冷却ファン６による電池冷却効果の有無判別を行う。マイコン５０のＲＡＭ５３は図７に示す各種のフラグを記憶する領域があり、ステップ１１３では電池温度が所定温度４５℃に達したか否かを判別するための４５℃判別フラグが１か否かの判別を行う。これが１の時は電池パック２の温度が４５℃に達したと判断し、引き続きＲＡＭ５３の冷却効果有りフラグが１か否かの判別を行い（ステップ１１８）、１の時は電池満充電判別処理のステップ１１６へジャンプする。
【００２３】
ステップ１１８において冷却効果有りフラグが１でない時、すなわち０の時は、引き続き冷却効果無しフラグが１か否かの判別を行い（ステップ１１９）、１の時は電池満充電判別処理のステップ１１６へジャンプする。
【００２４】
ステップ１１９において冷却効果無しフラグが１でない時、すなわち０の時は、電池温度勾配の最小値ｄＴ／ｄｔ（ＭＩＮ）が所定の温度勾配値Ｐより大きいか否かの判別により冷却ファン６による電池冷却効果の有無を判別する（ステップ１２０）。ステップ１２０において所定の温度勾配値Ｐより大きい時は、冷却ファン６による電池パック２の冷却効果は無いと判別し、引き続き、最新の電池温度Ｔｉｎが予め設定された所定温度４５℃より高いか否かの判別を行い（ステップ１２４）、所定温度４５℃より低い時は電池満充電判別処理のステップ１１６へジャンプする。
【００２５】
ステップ１２４において、最新の電池温度Ｔｉｎが所定温度４５℃より高い時は、出力ポート５６ａより充電電流設定手段８０を介して、充電電流設定基準電圧値Ｖｉ２を演算増幅器６２に印加し、充電電流Ｉ２（Ｉ２＜Ｉ０）に充電電流を切り替え（ステップ１２５）、引き続きＲＡＭ５３の冷却効果無しフラグを１にセットし（ステップ１２６）、電池満充電判別処理のステップ１１６へジャンプする。
【００２６】
ステップ１２０において、ＲＡＭ５３の最新の電池温度と６サンプリング前の電池温度との差によって演算された電池温度勾配の最小値ｄＴ／ｄｔ（ＭＩＮ）が所定の温度勾配値Ｐより小さい時は、冷却ファン６による電池パック２の冷却効果が有ると判別し、引き続き、最新の電池温度Ｔｉｎが予め設定された所定温度５０℃より高いか否かの判別を行い（ステップ１２１）、所定温度５０℃より低い時は電池満充電判別処理のステップ１１６へジャンプする。
【００２７】
ステップ１２１において、最新の電池温度Ｔｉｎが所定温度５０℃より高い時は、出力ポート５６ｂより充電電流設定手段８０を介して、充電電流設定基準電圧値Ｖｉ１を演算増幅器６２に印加し、充電電流Ｉ１（Ｉ１＞Ｉ２、Ｉ１＜Ｉ０）に充電電流を切り替え（ステップ１２２）、引き続きＲＡＭ５３の冷却効果有りフラグを１にセットし（ステップ１２３）、電池満充電判別処理のステップ１１６へジャンプする。
【００２８】
ステップ１１６の満充電判別は周知の如く種々の検出方法がある。例えば，
−ΔＶ検出法は電池電圧検出手段４０の出力に基づいて充電末期のピーク電圧から所定量降下したこと検出して満充電と判定する。また２階微分検出法は，電池電圧がピークに達する前に充電を停止することにより過充電を低減し，電池のサイクル寿命を向上させることを目的とし，電池電圧の時間による２階微分値が負になる時点を検出して満充電と判定する。また，ΔＴ検出法は電池温度検出手段９０の出力に基づいて充電開始からの電池の温度上昇値が所定の温度上昇値以上になるのを検出して満充電と判定する。更にｄＴ／ｄｔ検出法は，特開昭６２−１９３５１８号，特開平２−２４６７３９号，実開平３−３４６３８号公報等に記載されているように充電時における所定時間当りの電池温度上昇率（温度勾配）が所定値以上になるのを検出して満充電と判定する。本実施形態ではこれらの検出法のうちの任意の一つないし複数の満充電検出法が用いられる。
【００２９】
ステップ１１６において、電池パック２が満充電でないと判別したときはＲＡＭ５３における記憶デ−タである６サンプリング前までの電池温度Ｔｉ−０６、Ｔｉ−０５、…、Ｔｉ−０１が更新され，Ｔｉ−０５、Ｔｉ−０４、・・…、ＴｉｎがそれぞれＴｉ−０６、Ｔｉ−０５、・・…Ｔｉ−０１の記憶エリアに移し替えられ（ステップ１１７）、再度ステップ１０６からの処理を行う。
【００３０】
ステップ１１６において，電池パック２が満充電なら，マイコン５０は出力ポート５６ｂより充電制御信号伝達手段４を介して充電停止信号をＰＷＭ制御ＩＣ２３に伝達し，充電を停止する（ステップ１２７）。
【００３１】
次に、トリクル充電フラグを０にセットする（ステップ１２８）。このトリクル充電フラグは、トリクル充電が開始される時に１にセットされる。次に、冷却ファン停止フラグを０にセットする（ステップ１２９）。この冷却ファン停止フラグは充電（トリクル充電を含む）終了後、所定タイマ時間が経過し冷却ファンを停止する時に１にセットされる。次に、充電（トリクル充電も含む）終了時の電池温度を、感温素子２Ｂにより検出して電池温度Ｔｅとして取り込む（ステップ１３０）。
【００３２】
次いで、タイマをリセットし（ステップ１３１）、ステップ１３０において取り込んだ電池温度Ｔｅに応じて予め決められたタイマ時間を設定する（ステップ１３２）。このタイマ時間は、ステップ１２７において充電を終了してから、冷却ファンを停止するまでの時間である。ステップ１３２において設定するＴｅごとのタイマ時間の設定値の一例を図４に示す。この例では、ステップ１３０において取り込んだ充電終了時の電池温度Ｔｅが３０℃以下の場合は１０分、Ｔｅが３０℃から４５℃の間の場合は２０分、Ｔｅが４５℃以上の場合は３０分と、タイマ時間を３段階に設定した。上記実施例では、電池温度Ｔｅに応じてタイマ時間を３段階に設定したが、これに限定されるものではなく任意の数段階にわたり設定してもよい。
【００３３】
次に、タイマをスタートさせ、（ステップ１３３）、次いで、電池パック２が充電器から抜かれているか否かを判別する（ステップ１３４）。ステップ１３４において、電池パック２の取り出しを判別したら、出力ポート５６ｂより駆動手段７を介して冷却ファン６を停止し（ステップ１３５）、ステップ１０１に戻り，次の充電の待機状態となる。
【００３４】
次に、トリクル充電１０回以上フラグが１か否かの判別を行う（ステップ１３６）。この、トリクル充電１０回以上フラグは、トリクル充電を１０回以上行った場合に１にセットされる。この実施例では、トリクル充電を１０回行ったら、それ以降はトリクル充電は行われないものとした。ステップ１３６において、トリクル充電１０回以上フラグが１の場合は、これ以降はトリクル充電は行わないので、ステップ１３４にジャンプし電池の着脱の判別を行う。
【００３５】
次に、トリクル充電フラグが１か否かの判別を行う（ステップ１３７）。ステップ１３７において、トリクル充電フラグが１でない場合は、冷却ファン停止フラグが１か否かの判別を行う（ステップ１３８）。ステップ１３８において、冷却ファン停止フラグが１でない場合は、ステップ１３２において設定した充電（トリクル充電含む）終了時の所定タイマ時間が経過したか否かの判別を行う（ステップ１３９）。ステップ１３９において、所定タイマ時間が経過した場合は、出力ポ−ト５６ｂより駆動手段７を介して冷却ファンを停止し（ステップ１４０）、冷却ファン停止フラグを１に設定する（ステップ１４１）。次いで、トリクル充電回数が１０回以上カウントされているか否かの判別を行う（ステップ１４２）。ステップ１４２において、トリクル充電回数が１０回以上カウントされている場合は、トリクル充電回数１０回以上フラグを１にセットする（ステップ１４３）。ステップ１４２において、トリクル充電回数が１０回以上カウントされていない場合は、ステップ１３４にジャンプし電池の着脱の判別を行う。
【００３６】
また、ステップ１３９において、所定タイマ時間経過したと判別しなかった時は、タイマ時間が１時間経過したか否かの判別を行う（ステップ１４４）。ステップ１４４において、タイマ時間が１時間経過したと判別しない時は、ステップ１３４にジャンプし電池の着脱の判別を行う。
【００３７】
ステップ１４４において、タイマ時間が１時間経過したと判別した時は、出力ポート５６ａより充電電流設定手段８０を介して、充電電流設定基準電圧値Ｖｉ３を演算増幅器６２に印加し、充電電流Ｉ３（Ｉ３＜Ｉ０、Ｉ１、Ｉ２）に充電電流を切り替え、トリクル充電をスタートさせる（ステップ１４５）。
【００３８】
次いで、トリクル充電開始時の電池温度Ｔ０を検出し（ステップ１４６）、出力ポ−ト５６ｂより駆動手段７を介して冷却ファンを作動させる（ステップ１４７）。次いで、トリクル充電フラグを１にセットする（ステップ１４８）。
【００３９】
その後、ステップ１４５でトリクル充電を開始してから所定時間Ｒが経過したか否かを判別する（ステップ１４９）。ステップ１４９において、トリクル充電を開始してから所定時間Ｒを経過しない場合は、電池温度がステップ１４６において検出した充電開始時の電池温度Ｔ０から所定値Ｐ上昇したか否かを判別する（ステップ１５０）。ステップ１５０において、充電開始時の電池温度Ｔ０から所定値Ｐ上昇していない場合は、ステップ１３４にジャンプし電池の着脱の判別を行う。
【００４０】
また、ステップ１４９において、トリクル充電開始から所定時間Ｒが経過したと判別した場合、及びステップ１５０において、電池温度がトリクル充電開始時の電池温度Ｔ０から所定値Ｐ上昇したと判別した場合は、トリクル充電回数をカウントし（ステップ１５１）、ステップ１２７にジャンプし充電（トリクル充電を含む）を停止する。
【００４１】
また、ステップ１３７において、トリクル充電フラグが１であると判別した場合は、所定時間経過後の冷却ファン停止の処理、及びトリクル充電スタートの処理を行わないようにステップ１４９にジャンプする。
【００４２】
また、ステップ１３８において、冷却ファンフラグが１であると判別した場合は、所定時間経過後の冷却ファン停止の処理を行わないようにステップステップ１４４にジャンプする。
【００４３】
尚、上記実施形態においては、電池温度が４５℃の時に冷却効果の有無の判別を行い、冷却効果が有る場合は電池温度が５０℃で充電電流Ｉ１に切換え、冷却効果が無い場合は電池温度が４５℃で充電電流をＩ２に切換えたが、これに限るものでは無く、各温度は冷却の具合により設定値を切換えても良い。
【００４４】
また、上記実施形態においては、充電終了後１時間経過するごとにトリクル充電を行うようにしたが、これに限るものではなく、例えば、設定値を１．５時間にしても良い。
【００４５】
更に上記実施形態においては、トリクル充電を１０回行ったら、それ以降はトリクル充電を行わないようにしたが、これに限るものではなく、例えば、設定値を１５回にしてもよい。
【００４６】
図５は本実施形態の一例を示すもので、充電終了後１時間経過するごとにトリクル充電を行う例を示している。充電及びトリクル充電開始と共に冷却ファンを作動させ、充電及びトリクル充電終了後、この例では３０分経過したら冷却ファンを停止させている。
【００４７】
【発明の効果】
以上のように本発明によれば、充電終了後、ある一定時間経過した後、冷却ファンを停止させることにより、冷却ファンによる騒音の時間を短縮することができる。
【図面の簡単な説明】
【図１】本発明充電装置の一実施形態を示す回路図。
【図２】本発明充電装置の制御方法の一実施例を示すフローチャート。
【図３】本発明充電装置の制御方法の一実施例を示すフローチャート。
【図４】電池温度とタイマ時間の一例を示す説明図。
【図５】本発明における充電とファンの作動・停止の関係を示す説明図。
【図６】本発明装置のＲＡＭに記憶される電池温度データの説明図。
【図７】本発明装置のＲＡＭに記憶されるフラグの説明図。
【符号の説明】
２は電池パック、２Ａは電池組、６は冷却ファン、５０はタイマ５４等の機能を有する制御手段であるマイコンである。
【図１】
2004171796.tif 000003
【図２】
2004171796.tif 000004
【図３】
2004171796.tif 000005
【図４】
2004171796.tif 000006
【図５】
2004171796.tif 000007
【図６】
2004171796.tif 000008
【図７】
2004171796.tif 000009